(57)【要約】【課題】運転能力可変型のヒートポンプ装置を熱源とし、暖房運転を行わない給湯単独運転時、給湯運転を行わない暖房単独運転時は低出力でヒートポンプ装置を運転して騒音を低く抑えるとともに消費電力を低減し、暖房給湯同時運転時は最大能力で運転し湯切れのないヒートポンプ給湯装置を提供する。【解決手段】貯湯装置２と、暖房装置４と、運転能力可変型のヒートポンプ装置３とを備える。ヒートポンプ装置３を熱源とし、前記貯湯装置２の貯湯槽６内の湯水を沸き上げる貯湯運転と、暖房装置の放熱器から放熱させる暖房運転をそれぞれ行う。貯湯単独運転時または暖房単独運転時はそれぞれの負荷に応じた能力でヒートポン装置３を運転し、貯湯運転と暖房運転を同時に行う貯湯暖房運転時は貯湯単独運転時の能力と暖房単独運転時の能力とを加えた最大能力でヒートポンプ装置３を運転する。【選択図】          図１
2004317093.tif 000002
【特許請求の範囲】
【請求項１】
貯湯槽を有する貯湯装置と、放熱器を有する暖房装置と、運転能力可変型のヒートポンプ装置とを備え、このヒートポンプ装置を熱源とし、前記貯湯装置の貯湯槽内の湯水を沸き上げる貯湯運転と、暖房装置の放熱器から放熱させる暖房運転を行うヒートポンプ給湯暖房装置において、貯湯単独運転時または暖房単独運転時はそれぞれの負荷に応じた能力でヒートポン装置を運転し、貯湯運転と暖房運転を同時に行う貯湯暖房運転時は貯湯単独運転時の能力と暖房単独運転時の能力とを加えた最大能力でヒートポンプ装置を運転するようにしたことを特徴とするヒートポンプ給湯暖房装置。
【請求項２】
貯湯槽に、貯湯槽内の残湯量を検知する残湯量検知手段を設け、この残湯量検知手段で残湯量が所定量以下であることを検知した時、貯湯運転を前記ヒートポンプ装置の最大能力で運転するようにしたことを特徴とする請求項１記載のヒートポンプ給湯暖房装置。
【請求項３】
貯湯槽内に熱交換器を設け、この熱交換器に浴槽内の湯を循環路を介して循環させる追い焚き機能を有し、この追い焚き機能動作時、貯湯運転を前記ヒートポンプ装置の最大能力で運転するようにしたことを特徴とする請求項１記載のヒートポンプ給湯暖房装置。
【請求項４】
外気温度検知手段を設け、この外気温度検知手段で外気温が所定の温度以下を検知した時は貯湯運転を前記ヒートポンプ装置の最大能力で運転し、外気温が所定の温度以下を検知しない時は通常の運転能力でヒートポンプ装置を運転するようにしたことを特徴とする請求項１記載のヒートポンプ給湯暖房装置。
【発明の詳細な説明】
【０００１】
本発明は、熱源にヒートポンプ装置を用いたヒートポンプ給湯暖房装置に関する。
【０００２】
【従来技術】
従来、１台のヒートポンプ装置によって給湯単独運転・冷房給湯同時運転・暖房給湯同時運転・冷房給湯同時運転・暖房給湯同時運転・冷房風呂追い焚き同時運転・暖房風呂追い焚き同時運転・冷房単独運転・暖房単独運転の７つの運転モードを行えるヒートポンプ給湯冷暖房装置（例えば、特許文献１参照）がある。
【０００３】
【特許文献１】
特開平５−３９９５７号公報（第８頁乃至第１１頁、図２乃至図１２）
【０００４】
【発明が解決しようとする課題】
しかし、従来のヒートポンプ給湯冷暖房装置では、ヒートポンプ装置は室外に設置されている。そして、仮にヒートポンプ装置の運転能力を暖房運転を行わない給湯単独運転または、給湯運転を行わない暖房単独運転に応じた低出力で運転を行うように設定したとすると窓を開けての使用環境では騒音は低く抑えられるが、給湯暖房同時運転を行う場合は運転能力不足により貯湯槽の湯切れを生じたり暖房能力が不足するという問題が生じる。また、ヒートポンプ装置の運転能力を、暖房給湯同時運転を行えるように高出力で運転を行うように設定した場合、暖房運転を行わない給湯単独運転または、給湯運転を行わない暖房単独運転を行う場合には必要以上の電力を要するため不経済であったり、暖房運転を必要としない窓を開けての使用環境においては騒音の原因となるなどの問題がある。
【０００５】
本発明は、このような点に鑑みなされたもので、運転能力可変型のヒートポンプ装置を熱源とし、暖房運転を行わない給湯単独運転時、給湯運転を行わない暖房単独運転時は低出力でヒートポンプ装置を運転して騒音を低く抑えるとともに消費電力を低減し、暖房給湯同時運転時は最大能力で運転し湯切れのないヒートポンプ給湯装置を提供することを目的とする。
【０００６】
【課題を解決するための手段】
請求項１記載のヒートポンプ給湯暖房装置は、貯湯槽を有する貯湯装置と、放熱器を有する暖房装置と、運転能力可変型のヒートポンプ装置とを備え、このヒートポンプ装置を熱源とし、前記貯湯装置の貯湯槽内の湯水を沸き上げる貯湯運転と、暖房装置の放熱器から放熱させる暖房運転を行うヒートポンプ給湯暖房装置において、貯湯単独運転時または暖房単独運転時はそれぞれの負荷に応じた能力でヒートポンプ装置を運転し、貯湯運転と暖房運転を同時に行う貯湯暖房運転時は貯湯単独運転時の能力と暖房単独運転時の能力とを加えた最大能力でヒートポンプ装置を運転するようにしたものである。
【０００７】
そして、この構成により、暖房運転を行わない給湯単独運転時、給湯運転を行わない暖房単独運転時は騒音を低く抑えるとともに、消費電力を低減でき、暖房給湯同時運転時は最大能力で給湯暖房運転が行え湯切れの恐れがなくなるとともに、暖房能力不足が防止される。
【０００８】
請求項２記載のヒートポンプ給湯暖房装置は、請求項１記載のヒートポンプ給湯暖房装置において、貯湯槽に、貯湯槽内の残湯量を検知する残湯量検知手段を設け、この残湯量検知手段で残湯量が所定量以下であることを検知した時、貯湯運転を前記ヒートポンプ装置の最大能力で運転するようにしたものである。
【０００９】
そして、この構成により、貯湯槽内の残湯量が少なくなった場合、ヒートポンプ装置が最大能力で運転されるため、単位時間当たりの沸き上げ量が増え沸き上げる時間が短縮され湯切れに素早く対応できる。
【００１０】
請求項３記載のヒートポンプ給湯暖房装置は、請求項１記載のヒートポンプ給湯暖房装置において、貯湯槽内に熱交換器を設け、この熱交換器に浴槽内の湯を循環路を介して循環させる追い焚き機能を有し、この追い焚き機能動作時、貯湯運転を前記ヒートポンプ装置の最大能力で運転するようにしたものである。
【００１１】
そして、この構成により、浴槽内の湯の追い焚き機能動作時、ヒートポンプ装置が最大能力で運転されるため、単位時間当たりの沸き上げ量が増え沸き上げる時間が短縮され湯切れに素早く対応できる。
【００１２】
請求項４記載のヒートポンプ給湯暖房装置は、請求項１記載のヒートポンプ給湯暖房装置において、外気温度検知手段を設け、この外気温度検知手段で外気温が所定の温度以下を検知した時は貯湯運転を前記ヒートポンプ装置の最大能力で運転し、外気温が所定の温度以下を検知しない時は通常の運転能力でヒート装置を運転するようにしたものである。
【００１３】
そして、この構成により、外気温度検知手段で外気温が所定の温度以下を検知した時、ヒートポンプ装置が最大能力で運転され、単位時間当たりの沸き上げ量が増えるため所定時間内に沸き上げることができ、湯切れの恐れがない。また、外気温が所定の温度以下を検知しない時は通常の低出力でヒートポンプ装置を運転するため騒音が低く抑えられる。
【００１４】
【発明の実施の形態】
以下、本発明の一実施の形態を図面を参照して説明する。
【００１５】
【実施例】
図１に示すように、ヒートポンプ給湯暖房装置１は、貯湯装置２と、ヒートポンプ装置３と、暖房装置４と、風呂追い焚き装置５とを備えている。
【００１６】
貯湯装置２は、貯湯槽６を備え、この貯湯槽６は、先止押上式の給湯方式を採用しており、貯湯槽６の下部には減圧弁７を介して水道水を給水する給水管８が接続されているとともに、上部には沸き上げた湯を台所や浴槽などの給湯先に給湯する給湯管９が接続されている。
【００１７】
また、貯湯槽６の側面には、貯湯槽６内での例えば６０Ｌ、１８０Ｌおよび４３０Ｌなどの各残湯量に対応した高さ位置に貯湯槽６内の湯水温度を検知する残湯量検知手段としの残湯サーミスタ１０が配設されているとともに、貯湯槽６の底部側には全量沸上時の湯水温度を検知する水温湯温サーミスタ１１が配設されている。
【００１８】
また、貯湯槽６には、貯湯槽６の下部から出て貯湯槽６の上部に戻る沸上用循環路１２が接続されている。この沸上用循環路１２には貯湯槽６の下側から三方弁１３と、この沸上用循環路１２の中間部は貯湯装置２から出てヒートポンプ装置３内に配置され、このヒートポンプ装置３内において貯湯槽６の下部の湯水を沸上用循環路１２内に強制的に引き込んで貯湯槽６の上部に循環させる水熱交循環ポンプ１４と水熱交換器１５とが配設され、また、水熱交換器１５と貯湯槽６上部との間には流量調節器としての切換弁１６が配設されている。
【００１９】
また、貯湯槽６には、貯湯槽６の上部から湯水を取り出し貯湯槽６の下部に湯水を循環させる暖房初期循環路１７が接続されている。この暖房初期循環路１７は貯湯槽６の上部から第１の分岐路１８、三方弁１３、水熱交循環ポンプ１４、水熱交換器１５、切換弁１６、暖房用熱交換器１９、第２の分岐路２０、貯湯槽６下部と順次接続されている。
【００２０】
また、貯湯槽６下部には、貯湯槽６下部から出て貯湯槽６下部に湯水を循環させる暖房通常循環路２１が接続されている。この暖房通常循環路２１には三方弁１３、水熱交循環ポンプ１４、水熱交換器１５、切換弁１６、暖房用熱交換器１９、第２の分岐路２０とが順次接続されている。
【００２１】
ヒートポンプ装置３は、冷媒が充填された冷媒循環路２２を有し、この冷媒循環路２２には、運転能力可変型の圧縮機２３、蒸発器の除霜運転時冷媒の流れ方向を反転させて使用する四方弁２４、凝縮器として機能し沸上用循環路１２内を流通する湯水を水熱交換器１５との間で熱交換して湯水を所定の沸上温度に沸上げる冷媒熱交換器２５、膨張弁２６および集熱器としての蒸発器２７が順に接続されている。また、蒸発器２７には、蒸発器２７の除霜運転を実行させるための蒸発器２７の温度を検知する温度センサ２８、外気を蒸発器２７に送る送風ファン２９および、この送風ファン２９を回転させる送風モータ３０を備えている。
【００２２】
暖房装置４は、熱媒が充填された暖房用熱媒循環路３１を有し、この暖房用熱媒循環路３１は、暖房用熱交換器１９、床暖房、パネルヒータ等の放熱器３２ａ、放熱器３２ｂ、上方を大気に開放したシスターン３３、暖房用循環ポンプ３４、戻り水温度センサ３５とが順次接続されている。
【００２３】
風呂追い焚き装置５は、浴槽３６と貯湯槽６内上部に配設された追焚き用熱交換器３７と、この貯湯槽６と追焚き用熱交換器３７との間を接続し貯湯槽６内の湯を循環させ加熱する追い焚き循環路３８などから構成されている。そして、この追焚き循環路３８は、追焚き循環ポンプ３９、三方弁４０、風呂湯温検知手段としの風呂湯温検知センサ４１などからなっている。なお、４２は浴槽給湯用のミキシングバルブで給水管８からの水道水と貯湯槽６からの湯とを混合して適温の湯を浴槽３６に供給する機能を有する。４３はホッパで断水などで給水圧力が低下した場合ミキシングバルブ４２と浴槽３６とを分離する機能を有している。
【００２４】
４４はリモコンを示し、このリモコン４４は、台所などの壁面に配設されて貯湯単独運転、暖房単独運転、貯湯暖房同時運転および風呂追い焚き運転等を選択する図示しない操作部及び、これらの運転状態を表示する表示手段などを有している。
【００２５】
４５は運転制御手段としての制御装置で、この制御装置４５は、リモコン４４の操作で三方弁１３、切換弁１６、三方弁４０を適宜切り換えて沸上用循環路１２内の水を循環動作させるとともヒートポンプ装置３を動作させて貯湯槽６の湯水の沸上制御を行ったり、貯湯槽６内の湯水を循環させるとともに暖房用熱媒循環路３１の熱媒を循環させて暖房運転を実行させたり、追焚き用循環路３８を動作させて浴槽３６内の湯を追い焚き加熱させるようになっている。また、４６は外気温を検知する外気温検知手段としの外気温検知センサである。
【００２６】
次に、本実施の形態の作用を説明する。
【００２７】
先ず、図２により貯湯槽６内の水を沸上げる貯湯単独運転の作用について説明する。
【００２８】
貯湯単独運転は主に昼間の電気料金時間帯より電気料金の安い夜間の時間帯に行われる。即ち、給水管８から減圧弁７を介して貯湯槽６内に水道水が貯留される。そして、リモコン４４の操作により制御装置４５が制御され、三方弁１３が沸上用循環路１２側に切換えられるとともに、流量調節弁１６が沸上用循環路１２側に１００％の量の湯水が流れるよう調節される。そして、ヒートポンプ装置３の圧縮機２０が例えば、５．４ＫＷの出力で駆動される。これにより矢印で示すように、冷媒は、冷媒回路２２の圧縮機２３、四方弁２４、凝縮器として機能する冷媒熱交換器２５、膨張弁２６、蒸発器２７の順に流れる。そして、蒸発器２０で大気熱を集熱し気化された冷媒は圧縮機２３に送られ、圧縮機２３で圧縮されて出た高温高圧の冷媒ガスは、冷媒熱交換器２５で水熱交換器１５に熱交換させる。
【００２９】
一方、沸上用循環路１２の沸上用循環ポンプ１４が駆動され、矢印で示すように貯湯槽６下部の湯水が沸上用循環路１２側を通じて水熱交換器１５と冷媒熱交換器２５との間で沸上用循環路１２内の湯水が熱交換され湯水となって貯湯槽６上部に入り、これを繰返して貯湯槽６の上部から設定温度の約８０℃の湯水が順次積層され貯湯槽６内の湯水が沸上げられ水温湯温サーミスタ１１が全量沸き上げを検知するまで沸き上げが繰り返し行われる。そして、このように、貯湯槽６内に積層された湯水は、給湯管９を通じて例えば台所や浴槽に送られ給湯されたり、暖房循環路３１に熱を与え暖房運転などに利用される。
【００３０】
次に、図３により朝方の暖房運転初期の作用について説明する。
【００３１】
朝方の暖房運転初期運転は、暖房運転の立ち上がりの速さが要求され、そのため、貯湯槽６内上部の沸き上げられた湯水の熱が利用される。即ち、リモコン４４の操作により暖房運転が選択されると制御装置４５が制御され、三方弁１３が第１の分岐路１８側に切り換えられるとともに、切換弁１６が第２の分岐路２０側に１００％の量の湯水が流れるように調整されて暖房初期循環路１７が構成される。次に、水熱交循環ポンプ１４が駆動され、例えば、外気温度が１０℃未満の場合は貯湯槽６内の約８０℃の温水２００Ｌを貯湯槽６の上部より三方弁１１３、水熱交換器１５、切換弁１６、暖房用熱交換器１９を通じて貯湯槽６下部へと循環される。
【００３２】
一方、暖房装置４の暖房用循環ポンプ３４が駆動され暖房用熱媒循環路３１内を流通する熱媒が循環される。そして、暖房初期循環路１７内を流通する約８０℃の湯水の熱が暖房用熱交換器１９ですぐに熱交換されて放熱器３２ａ、放熱器３２ｂから分散して放熱され暖房初期運転が行われる。また、この暖房用熱交換器１９で熱交換されて約７０℃に冷やされた暖房初期循環路１７内の温水は貯湯槽６上部の湯水と交じり合うことなく貯湯槽６の下部へ戻される。そして、暖房初期循環路１７を通じた暖房運転は例えば、約５０分間繰り返される。
【００３３】
次に、図４によりヒートポンプ装置３を用いない暖房単独運転時の作用について説明する。
【００３４】
暖房初期循環路１７を通じた暖房運転が約５０分間経過すると、制御装置４４の制御により暖房通常循環路２１を通じたヒートポンプ装置３を用いない暖房単独運転に切り換わる。即ち、制御装置４５の制御により三方弁１３が水熱交換器１５側に切り換えられるとともに、切換弁１６が第２の分岐路２０側に１００％の量の温水が流れるように切り換えられ、貯湯槽６下部から出て三方弁１３、水熱交換器１５、切換弁１６、暖房用熱交換器１９、第２の分岐路２０を通じて貯湯槽６下部へと戻る暖房通常循環路２１が形成される。そして、水熱交循環ポンプ１４が駆動され暖房通常循環路２１を通じて、貯湯槽６下部の湯水が貯湯槽６下部から出て貯湯槽６下部に戻る循環が繰り返し行われる。
【００３５】
一方、暖房初期運転時と同様に、暖房通常循環路２１内を流通する温水の熱が暖房用熱交換器１９を介して暖房循環路３１内を流通する熱媒に熱交換され放熱器３２ａ、３２ｂから放熱され暖房用循環ポンプ３４を駆動した通常の暖房運転が継続して行われる。そして、この暖房通常運転は、暖房循環路３１の戻り側に設けられた戻り水温度センサ３５の検知温度が所定温度以下を検知するまで繰り返し行われる。したがって、暖房通常運転時はヒートポンプ装置３を運転することなく貯湯槽６内下部の温水の熱を利用した暖房運転が行われエネルギーの有効活用が図れる。
【００３６】
次に、図５により朝方以降のヒートポンプ装置を用いた暖房ヒートポンプ運転時の作用について説明する。
【００３７】
暖房通常循環路１７を通じた暖房運転が繰り返し行われると暖房用熱交換器１９で熱交換される湯水温度が徐々に低下し、その結果、暖房循環路３１内を流通する熱媒の温度が徐々に低下し、暖房用熱媒循環路３１の戻り側に設けられた戻り水温度検知センサ３５の検知温度が所定の温度以下を検知することになる。そして、戻り水温度検知センサ３５の検知温度が所定の温度以下を検知すると制御装置４５はヒートポンプ装置３を運転制御する。このヒートポンプ装置３の運転は例えば１．６ＫＷの出力により騒音を低く抑えて行われ、暖房通常循環路１７内の温水は冷媒熱交換器２５により水熱交換器１５を介して再加熱され、ヒートポンプ装置３の運転による暖房運転が行われる。
【００３８】
次に、図６により貯湯、暖房同時運転時の作用について説明する。
【００３９】
貯湯、暖房同時運転は主に電力料金の安い夜間の時間帯に貯湯しながら暖房運転が行われる。即ち、リモコン４４から貯湯、暖房同時運転が選択され、制御装置４５の制御により三方弁１３が水熱交換器１５側に切り換えられるとともに、切換弁１６が暖房通常循環路２１側と沸上用循環路１２側との両側に沸き上げられた湯水が流れるように調整される。
【００４０】
そして、ヒートポンプ装置３の圧縮機２３が例えば、給湯単独運転の出力５．４ＫＷと暖房単独運転の出力１．６ＫＷを加えた最大運転能力７．０ＫＷの出力で駆動される。これにより冷媒は給湯単独運転時と同様に冷媒回路２２内を流通し、蒸発器２０で大気熱を集熱し気化された冷媒は圧縮機２３に送られ、圧縮機２３で圧縮されて出た高温高圧の冷媒ガスは、冷媒熱交換器２５で水熱交換器１５と熱交換されることとなる。
【００４１】
一方、沸上用循環路１２の沸上用循環ポンプ１４が駆動され、矢印で示すように貯湯槽６下部から出た湯水が三方弁１３、水熱交循環ポンプ１４、水熱交換器１５と流れ、水熱交換器１５と冷媒熱交換器２５との間で沸上用循環路１２内の湯水が熱交換され湯水となり、この湯水が切換弁１６により分流され、その一部が貯湯槽６上部に入り、これを繰返して貯湯槽６の上部から設定温度の約８０℃の湯水が順次積層され貯湯槽６内の湯水が沸上げられる。
【００４２】
また、切換弁１６により分流された他の一部の湯水は暖房通常循環路１７に流れる。そして、暖房用循環ポンプ３４が駆動され暖房循環路３１内の熱媒は暖房循環路３１内を循環し、この熱媒は暖房用熱交換器１９で熱交換されて加熱され放熱器３２ａ、３２ｂより放熱され暖房に供される。
【００４３】
したがって、貯湯、暖房同時運転時はヒートポンプ装置が最大運転能力で運転されるため、貯湯槽６内の湯水の湯切れがないとともに、暖房能力不足になることがなくなる。
【００４４】
次に残湯量が低下した場合の貯湯運転の作用について説明する。
【００４５】
来客などにより大量な湯が使用されると残湯量が低下し湯切れの恐れが生じる。
このような場合、例えば、残湯量６０Ｌに対応する残湯サーミスタ１０が検知して残湯量が少なく湯切れの恐れを検知する。そして、この検知信号により図２に示されるように沸き上げ循環路１２が形成されるとともに、ヒートポンプ装置３が最大運転能力７．０ＫＷの出力で運転されるように制御される。これにより、単位時間当たりの沸き上げ量を増やして素早く貯湯槽６内の水を沸き上げることができ、湯切れの恐れがなくなる。
【００４６】
次に、次に、図７により風呂追い焚き機能動作時の作用について説明する。
【００４７】
一定時間毎に浴槽３６内の湯水の湯温を確認して湯温を一定に保つ自動保温運転が行われる。即ち、三方弁４０が追焚き循環路３８側に切り換えられ追焚き循環ポンプ３９を一定時間毎に駆動して、浴槽３６内の湯水を追焚き循環路３８内に循環させ風呂湯温検知センサ４１により湯温を監視する。そして、風呂湯温検知センサ４１が所定の湯温以下を検知すると湯温が所定湯温になるまで追焚き循環ポンプ３９を駆動し、矢印の如く浴槽３６内の湯水を追焚き用熱交換器３７内を循環させる。そして、貯湯槽６内の湯水の熱と浴槽３６内の湯水とを熱交換してを風呂追い焚き加熱が行われる。これにより、貯湯槽６内の湯水は温度追焚き用熱交換器３７を介して放熱され低下される。
【００４８】
一方、風呂追い焚き加熱が行われると図２に示されるように沸き上げ循環路１２が形成されるとともに、ヒートポンプ装置３が最大運転能力７．０ＫＷの出力で運転されるように制御される。これにより、単位時間当たりの沸き上げ量を増やして沸き上げ時間が短縮され貯湯槽６内の湯水の湯切れを素早く防止する。
【００４９】
次に、外気温度が低下した場合の作用について説明する。
【００５０】
冬季のように外気温度が低下すると水温が低下する。そして、このように水温が低い状態において、例えば、貯湯運転を行うと貯湯槽６内の水を沸き上げる時間が長くなり夜間電力を利用した料金の安い時間帯に所定量の湯を沸き上げられず不経済であ。
【００５１】
このような、外気温度が低い場合、外気温検知手段４６が外気温度の低下を検知して図２に示されるように沸き上げ循環路１２が形成されるとともに、ヒートポンプ装置３が最大運転能力７．０ＫＷの出力で運転されるように制御される。これにより、単位時間当たりの沸き上げ量を増やして沸き上げ所定時間内に貯湯槽６内の水を沸き上げることができ経済的であるとともに、湯切れの恐れがなくなる。
【００５２】
【発明の効果】
請求項１記載のヒートポンプ給湯暖房装置によれば、暖房運転を行わない給湯単独運転時、給湯運転を行わない暖房単独運転時は騒音を低く抑えるとともに、消費電力を低減でき、暖房給湯同時運転時は最大能力で給湯暖房運転が行え湯切れおよび暖房能力不足が防止される。
【００５３】
請求項２記載のヒートポンプ給湯暖房装置によれば、貯湯槽内の残湯量が少なくなった場合、ヒートポンプ装置が最大能力で運転されるため、単位時間当たりの沸き上げ量が増え沸き上げる時間が短縮され湯切れに素早く対応できる。
【００５４】
請求項３記載のヒートポンプ給湯暖房装置によれば、浴槽内の湯の追い焚き機能動作時、ヒートポンプ装置が最大能力で運転されるため、単位時間当たりの沸き上げ量が増え沸き上げる時間が短縮され湯切れに素早く対応できる。
【００５５】
請求項４記載のヒートポンプ給湯暖房装置によれば、外気温度検知手段で外気温が所定の温度以下を検知した時、ヒートポンプ装置が最大能力で運転され、単位時間当たりの沸き上げ量が増えるため所定時間内に沸き上げることができ、湯切れの恐れがない。また、外気温が所定の温度以下を検知しない時は通常の低出力でヒートポンプ装置を運転するため騒音が低く抑えられる。
【図面の簡単な説明】
【図１】本発明の一実施形態を示すヒートポンプ給湯暖房装置の構成を説明する説明図である。
【図２】同上、ヒートポンプ給湯暖房装置の貯湯運転時の作用を説明する説明図である。
【図３】同上、ヒートポンプ給湯暖房装置の暖房運転初期の作用を説明する説明図である。
【図４】同上、ヒートポンプ給湯暖房装置の暖房通常運転時の作用を説明する説明図である。
【図５】同上、ヒートポンプ給湯暖房装置のヒートポンプ装置による暖房運転の作用を説明する説明図である。
【図６】同上、ヒートポンプ給湯暖房装置の貯湯運転・暖房運転同時運転時の作用を説明する説明図である。
【図７】同上、ヒートポンプ給湯暖房装置の風呂追焚き機能運転時の作用を説明する説明図である。
【符号の説明】
１    ヒートポンプ給湯暖房装置
２    貯湯装置
３    ヒートポンプ装置
４    暖房装置
５    風呂追い焚き装置
６    貯湯槽
１０    残湯量検知手段としての残湯検知サーミスタ
１２    沸上用循環路
１３    三方弁
１４    水熱交循環ポンプ
１５    水熱交換器
１６    流量調節器としての切換弁
１７    暖房初期循環路
１８    第１の分岐路
１９    暖房用熱交換器
２０    第２の分岐路
２１    暖房通常循環路
２２    冷媒循環路
２３    圧縮機
２４    四方弁
２５    冷媒用熱交換器
２６    膨張弁
２７    蒸発器
２８    温度センサ
３１    暖房用熱媒循環路
３２ａ，３２ｂ    放熱部
３４    暖房用循環ポンプ
３５    戻り水温度センサ
３６    浴槽
３７    追焚き用熱交換器
３７    追焚き用熱交換器
３８    追焚き用循環路
３９    追焚き用循環ポンプ
４０    三方弁
４１    風呂湯温検知手段としての風呂湯温検知センサ
４４    リモコン
４５    制御装置
４６    外気温検知手段としの外気温検知センサ
【図１】
2004317093.tif 000003
【図２】
2004317093.tif 000004
【図３】
2004317093.tif 000005
【図４】
2004317093.tif 000006
【図５】
2004317093.tif 000007
【図６】
2004317093.tif 000008
【図７】
2004317093.tif 000009